(57)【特許請求の範囲】
【請求項１】
垂直走査期間毎に１画面分の画素を駆動して画像表示を行う電気光学装置に対し、駆動電圧を供給する電源回路において、
２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、
前記垂直走査期間内の複数の水平走査期間毎に発生する基準信号に従い、前記２相のクロック信号を発生して前記スイッチング電源手段に供給する手段であって、前記垂直走査期間内に発生する基準信号の個数が偶数である場合にＮ垂直走査期間（Ｎは１以上の整数）毎に前記２相のクロック信号を前記基準信号の１周期分シフトさせる手段を含むクロック信号発生手段と、を具備する
ことを特徴とする電源回路。
【請求項２】
垂直走査期間毎に１画面分の画素を駆動して画像表示を行う電気光学装置に対し、駆動電圧を供給する電源回路において、
２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、
前記垂直走査期間内に偶数回繰り返される各水平走査期間毎に同期した基準信号を受け、前記２相のクロック信号を発生して前記スイッチング電源手段に供給する手段であって、Ｎ垂直走査期間（Ｎは１以上の整数）毎に前記２相のクロック信号を前記基準信号の１周期分シフトさせる手段を含むクロック信号発生手段と、を具備する
ことを特徴とする電源回路。
【請求項３】
垂直走査期間毎に１画面分の画素を駆動して画像表示を行う電気光学装置に対し、駆動電圧を供給する電源回路において、
２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、
前記垂直走査期間内の複数の水平走査期間毎に発生する基準信号に従い、前記２相のクロック信号を発生して前記スイッチング電源手段に供給する手段であって、前記垂直走査期間内に発生する基準信号の個数が偶数である場合にＮ垂直走査期間（Ｎは１以上の整数）毎に前記２相のクロック信号の各相の順序を逆転させる手段を含むクロック信号発生手段と、を具備する
ことを特徴とする電源回路。
【請求項４】
垂直走査期間毎に１画面分の画素を駆動して画像表示を行う電気光学装置に対し、駆動電圧を供給する電源回路において、
２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、
前記垂直走査期間内に偶数回繰り返される各水平走査期間毎に同期した基準信号を受け、前記２相のクロック信号を発生して前記スイッチング電源手段に供給する手段であって、Ｎ垂直走査期間（Ｎは１以上の整数）毎に前記２相のクロック信号の各相の順序を逆転させる手段を含むクロック信号発生手段と、を具備する
ことを特徴とする電源回路。
【請求項５】
複数のデータ線と、これらと交差する複数の走査線とを有し、垂直走査期間毎に前記複数の走査線を駆動すると共に、各垂直走査期間内の複数の水平走査期間の各々において前記複数のデータ線を駆動することにより、各データ線と各走査線との交差部に介在する各画素を駆動する電気光学装置において、
前記水平走査期間に同期した基準信号に従ってスイッチング動作を行うことにより、走査線およびデータ線を駆動するための駆動電圧を発生する電源回路を具備し、
前記電源回路は、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、
前記垂直走査期間内の複数の水平走査期間毎に発生する基準信号に従い、前記２相のクロック信号を発生して前記スイッチング電源手段に供給する手段であって、前記垂直走査期間内に発生する基準信号の個数が偶数である場合にＮ垂直走査期間（Ｎは１以上の整数）毎に前記２相のクロック信号を前記基準信号の１周期分シフトさせる手段を含むクロック信号発生手段と、を備える
ことを特徴とする電気光学装置。
【請求項６】
複数のデータ線と、これらと交差する複数の走査線とを有し、垂直走査期間となるフレームを分割してフィールド毎に前記複数の走査線を駆動すると共に、各垂直走査期間内の複数の水平走査期間の各々において前記複数のデータ線を駆動することにより、各データ線と各走査線との交差部に介在する各画素を駆動する電気光学装置において、
前記水平走査期間に同期した基準信号に従ってスイッチング動作を行うことにより、走査線およびデータ線を駆動するための駆動電圧を発生する電源回路を具備し、
前記電源回路は、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、
前記垂直走査期間内に偶数回繰り返される各水平走査期間毎に同期した基準信号を受け、前記２相のクロック信号を発生して前記スイッチング電源手段に供給する手段であって、Ｎ垂直走査期間（Ｎは１以上の整数）毎に前記２相のクロック信号を前記基準信号の１周期分シフトさせる手段を含むクロック信号発生手段と、を備える
ことを特徴とする電気光学装置。
【請求項７】
複数のデータ線と、これらと交差する複数の走査線とを有し、垂直走査期間毎に前記複数の走査線を駆動すると共に、各垂直走査期間内の複数の水平走査期間の各々において前記複数のデータ線を駆動することにより、各データ線と各走査線との交差部に介在する各画素を駆動する電気光学装置において、
前記水平走査期間に同期した基準信号に従ってスイッチング動作を行うことにより、走査線およびデータ線を駆動するための駆動電圧を発生する電源回路を具備し、
前記電源回路は、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、
前記垂直走査期間内の複数の水平走査期間毎に発生する基準信号に従い、前記２相のクロック信号を発生して前記スイッチング電源手段に供給する手段であって、前記垂直走査期間内に発生する基準信号の個数が偶数である場合にＮ垂直走査期間（Ｎは１以上の整数）毎に前記２相のクロック信号の各相の順序を逆転させる手段を含むクロック信号発生手段と、を備える
ことを特徴とする電気光学装置。
【請求項８】
複数のデータ線と、これらと交差する複数の走査線とを有し、垂直走査期間毎に前記複数の走査線を駆動すると共に、各垂直走査期間内の複数の水平走査期間の各々において前記複数のデータ線を駆動することにより、各データ線と各走査線との交差部に介在する各画素を駆動する電気光学装置において、
前記水平走査期間に同期した基準信号に従ってスイッチング動作を行うことにより、走査線およびデータ線を駆動するための駆動電圧を発生する電源回路を具備し、
前記電源回路は、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、
前記垂直走査期間内に偶数回繰り返される各水平走査期間毎に同期した基準信号を受け、前記２相のクロック信号を発生して前記スイッチング電源手段に供給する手段であって、Ｎ垂直走査期間（Ｎは１以上の整数）毎に前記２相のクロック信号の各相の順序を逆転させる手段を含むクロック信号発生手段と、を備える
ことを特徴とする電気光学装置。
【請求項９】
複数のデータ線と、これらと交差する複数の走査線とを有し、垂直走査期間となるフレームを分割してフィールド毎に前記複数の走査線を駆動すると共に、各垂直走査期間内の複数の水平走査期間の各々において前記複数のデータ線を駆動することにより、各データ線と各走査線との交差部に介在する各画素を駆動する電気光学装置において、
前記水平走査期間に同期した基準信号に従ってスイッチング動作を行うことにより、走査線およびデータ線を駆動するための駆動電圧を発生する電源回路を具備し、
前記電源回路は、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、
前記垂直走査期間内の複数の水平走査期間毎に発生する基準信号に従い、前記２相のクロック信号を発生して前記スイッチング電源手段に供給する手段であって、前記垂直走査期間内に発生する基準信号の個数が偶数である場合にＮ垂直走査期間（Ｎは１以上の整数）毎に前記２相のクロック信号を前記基準信号の１周期分シフトさせる手段を含むクロック信号発生手段と、を備える
ことを特徴とする電気光学装置。
【請求項１０】
複数のデータ線と、これらと交差する複数の走査線とを有し、垂直走査期間となるフレームを分割してフィールド毎に前記複数の走査線を駆動すると共に、各垂直走査期間内の複数の水平走査期間の各々において前記複数のデータ線を駆動することにより、各データ線と各走査線との交差部に介在する各画素を駆動する電気光学装置において、
前記水平走査期間に同期した基準信号に従ってスイッチング動作を行うことにより、走査線およびデータ線を駆動するための駆動電圧を発生する電源回路を具備し、
前記電源回路は、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、
前記垂直走査期間内の複数の水平走査期間毎に発生する基準信号に従い、前記２相のクロック信号を発生して前記スイッチング電源手段に供給する手段であって、前記垂直走査期間内に発生する基準信号の個数が偶数である場合にＮ垂直走査期間（Ｎは１以上の整数）毎に前記２相のクロック信号の各相の順序を逆転させる手段を含むクロック信号発生手段と、を備える
ことを特徴とする電気光学装置。
【請求項１１】
請求項５，６，７，８，９または１０に記載の電気光学装置を表示部に用いたことを特徴とする電子機器。
【発明の詳細な説明】
【０００１】
【発明の属する技術分野】
本発明は、電源回路、電気光学装置及び電子機器に関し、例えば電気光学装置に液晶表示装置を用いて好適な電源回路、電気光学装置及び電子機器に関する。
【０００２】
【従来の技術】
一般に、電気光学装置としての液晶表示装置は、小型・薄型、低消費電力、平面表示などの特徴を備えているため、腕時計、携帯型ゲーム機、ノート型のパーソナルコンピュータ、液晶テレビ、カーナビゲーション等の電子機器の表示部分に広く適用されている。
【０００３】
この液晶表示装置は、液晶表示パネル、電源回路、データ線駆動回路および走査線駆動回路によって大略構成されている。
【０００４】
これらのうち液晶表示パネルは、２枚の基板（以下、第１および第２の基板という）間に液晶を挟んでなるものである。ここで、第１の基板にはデータ線が複数本形成されており、第２の基板にはデータ線と交差する方向に走査線が複数本形成されている。また、第１の基板には、複数の画素電極がマトリックス状に配置されている。これらの画素電極は、各々データ線と走査線との各交差位置に配置されており、データ線に接続されている。また、第２の基板には、各画素電極と対向するように複数の対向電極がマトリックス状に配置されている。これらの対向電極は、走査線に各々接続されている。
【０００５】
走査線駆動回路は、例えば１垂直走査期間内の各水平走査期間毎に、走査線を選択し、選択した走査線に選択電圧を印加する回路である。また、データ線駆動回路は、１水平走査期間内に、複数のデータ線に対し、データ電圧を印加する回路である。
【０００６】
電源回路は、この液晶表示装置の電源電圧や各種の基準電圧を発生する回路である。これらの基準電圧は、データ線駆動回路や走査線駆動回路に供給されるものも含まれる。この電源回路は、複数のチャージポンプ回路により構成されている。これらのチャージポンプ回路は、水平走査期間毎に発生されるラッチ信号ＬＰ若しくはこのラッチ信号ＬＰを分周した信号により駆動される。
【０００７】
走査線駆動回路およびデータ線駆動回路は、この電源回路から供給される各種の基準電圧の中から必要な電圧を選択し、上述した走査線に対する選択電圧およびデータ線に対するデータ電圧を出力するのである。
【０００８】
このような構成において、１垂直走査期間内の各水平走査期間毎に、走査線駆動回路から１または複数の走査線に選択電圧が供給され、その間、データ線駆動回路から各データ線にデータ信号が供給される。この結果、関係するデータ線および走査線に接続された各画素電極および各対向電極間にデータ信号と選択電圧との電圧差に対応した電界が発生する。そして、この各画素電極および各対向電極間の電界に応じて両電極間の液晶の透過率が変化し、各画素のオン／オフが定まる。このような動作が各水平走査期間毎に行われることにより画像表示が行われるのである。
【０００９】
【発明が解決しようとする課題】
ところで、上述した従来の電気光学装置では、水平走査期間に同期したラッチ信号ＬＰによりチャージポンプが駆動されるため、このチャージポンプ回路から得られた駆動電圧にラッチ信号ＬＰの２倍の周期のリップルが発生し、このリップルに起因した表示ムラが発生する場合があるという問題があった。
【００１０】
ここで、図２２に示す例を参照し、この問題について詳述する。
【００１１】
図２２には、ある液晶表示装置において発生するラッチ信号ＬＰと、フレーム切換信号ＦＲと、駆動電圧の１つである駆動電圧−Ｖ２の波形が示されている。
【００１２】
図２２において、フレーム切換信号ＦＲは、例えば奇数フレームにおいてＨレベル、偶数フレームにおいてＬレベルとなる信号である。駆動電圧−Ｖ２は、ラッチ信号ＬＰによってチャージポンプ回路を駆動することにより得られた駆動電圧の１つであり、図示のようにラッチ信号ＬＰの２倍の周期のリップルが重畳している。
【００１３】
また、この例では、走査線およびデータ線の駆動方式として、いわゆるＭＬＳ駆動方式が採用されており、１フレーム（垂直走査期間）分の画素駆動が４つのフィールド１ｆ〜４ｆに分けて実行される。さらに詳述すると、１つのフィールドでは、当該フィールド内の各水平走査期間毎に複数本ずつ走査線の駆動が行われ、１フィールドを要して全走査線の駆動が終了する。一方、各水平走査期間では、液晶パネル上の各データ線の駆動が行われるのである。
【００１４】
さて、図２２に示す例では、１フレームの間に偶数個のラッチ信号ＬＰが発生する。このため、フィールド１ｆにおいて一連のリップル波形が発生した後、後続の各フィールド２ｆ〜４ｆでも、このリップル波形と同相のリップル波形が繰り返し発生される。フレームが切り換わっても同様である。
【００１５】
このように各垂直走査期間において駆動電圧に同相のリップル波形が重畳する場合、ある垂直走査期間においてリップルの山の部分に相当する駆動電圧により駆動された画素は、その後の各垂直走査期間でも常にリップルの山の部分に相当する駆動電圧により駆動されることになる。同様に、ある垂直走査期間において、リップルの谷の部分に相当する駆動電圧により駆動された画素は、その後の各垂直走査期間でも常にリップルの谷の部分に相当する駆動電圧により駆動されることとなる。この結果、表示画面に濃淡のムラが現れるのである。
【００１６】
この発明は、以上説明した事情に鑑みてなされたものであり、駆動電圧に生じるリップルに起因した表示ムラの現れない電気光学装置、この電気光学装置に適用される電源回路およびこの電気光学装置を用いた電子機器を提供することを目的としている。
【００１７】
【課題を解決するための手段】
上述した課題を解決するため、本発明は、垂直走査期間毎に１画面分の画素を駆動して画像表示を行う電気光学装置に対し、駆動電圧を供給する電源回路において、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、前記垂直走査期間内の複数の水平走査期間毎に発生する基準信号に従い、前記２相のクロック信号を発生して前記スイッチング電源手段に供給する手段であって、前記垂直走査期間内に発生する基準信号の個数が偶数である場合にＮ垂直走査期間（Ｎは１以上の整数）毎に前記２相のクロック信号を前記基準信号の１周期分シフトさせる手段を含むクロック信号発生手段と、を具備することを特徴としている。
【００１８】
また、本発明は、垂直走査期間毎に１画面分の画素を駆動して画像表示を行う電気光学装置に対し、駆動電圧を供給する電源回路において、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、前記垂直走査期間内に偶数回繰り返される各水平走査期間毎に同期した基準信号を受け、前記２相のクロック信号を発生して前記スイッチング電源手段に供給する手段であって、Ｎ垂直走査期間（Ｎは１以上の整数）毎に前記２相のクロック信号を前記基準信号の１周期分シフトさせる手段を含むクロック信号発生手段と、を具備することを特徴としている。
【００１９】
このような構成とすることにより、駆動電圧による電圧変動周期を垂直走査期間毎に反転させることができ、結果として垂直走査期毎にリップルの影響を相殺することができる。
【００２０】
一方、本発明は、垂直走査期間毎に１画面分の画素を駆動して画像表示を行う電気光学装置に対し、駆動電圧を供給する電源回路において、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、前記垂直走査期間内の複数の水平走査期間毎に発生する基準信号に従い、前記２相のクロック信号を発生して前記スイッチング電源手段に供給する手段であって、前記垂直走査期間内に発生する基準信号の個数が偶数である場合にＮ垂直走査期間（Ｎは１以上の整数）毎に前記２相のクロック信号の各相の順序を逆転させる手段を含むクロック信号発生手段と、を具備することを特徴としている。
【００２１】
また、本発明は、垂直走査期間毎に１画面分の画素を駆動して画像表示を行う電気光学装置に対し、駆動電圧を供給する電源回路において、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、前記垂直走査期間内に偶数回繰り返される各水平走査期間毎に同期した基準信号を受け、前記２相のクロック信号を発生して前記スイッチング電源手段に供給する手段であって、Ｎ垂直走査期間（Ｎは１以上の整数）毎に前記２相のクロック信号の各相の順序を逆転させる手段を含むクロック信号発生手段と、を具備することを特徴としている。
【００２２】
このような構成とすることにより、クロック信号発生手段からは、垂直走査期間が切換わる毎に２相のクロック信号の各相の順序を逆転させた信号を、スイッチング電源手段に向けて出力する。そして、スイッチング電源手段から発生する駆動電圧は、垂直走査期間毎に電圧変動周期を反転する。この結果、垂直走査期間毎にリップルの影響を相殺することができる。
【００２３】
一方、本発明による電気光学装置は、複数のデータ線と、これらと交差する複数の走査線とを有し、垂直走査期間毎に前記複数の走査線を駆動すると共に、各垂直走査期間内の複数の水平走査期間の各々において前記複数のデータ線を駆動することにより、各データ線と各走査線との交差部に介在する各画素を駆動する電気光学装置において、前記水平走査期間に同期した基準信号に従ってスイッチング動作を行うことにより、走査線およびデータ線を駆動するための駆動電圧を発生する電源回路を具備し、前記電源回路は、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、前記垂直走査期間内の複数の水平走査期間毎に発生する基準信号に従い、前記２相のクロック信号を発生して前記スイッチング電源手段に供給する手段であって、前記垂直走査期間内に発生する基準信号の個数が偶数である場合にＮ垂直走査期間（Ｎは１以上の整数）毎に前記２相のクロック信号を前記基準信号の１周期分シフトさせる手段を含むクロック信号発生手段と、を備えることを特徴としている。
【００２４】
また、本発明による電気光学装置は、複数のデータ線と、これらと交差する複数の走査線とを有し、垂直走査期間となるフレームを分割してフィールド毎に前記複数の走査線を駆動すると共に、各垂直走査期間内の複数の水平走査期間の各々において前記複数のデータ線を駆動することにより、各データ線と各走査線との交差部に介在する各画素を駆動する電気光学装置において、前記水平走査期間に同期した基準信号に従ってスイッチング動作を行うことにより、走査線およびデータ線を駆動するための駆動電圧を発生する電源回路を具備し、前記電源回路は、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、前記垂直走査期間内に偶数回繰り返される各水平走査期間毎に同期した基準信号を受け、前記２相のクロック信号を発生して前記スイッチング電源手段に供給する手段であって、Ｎ垂直走査期間（Ｎは１以上の整数）毎に前記２相のクロック信号を前記基準信号の１周期分シフトさせる手段を含むクロック信号発生手段と、を備えることを特徴としている。
【００２５】
さらに、本発明による電気光学装置は、複数のデータ線と、これらと交差する複数の走査線とを有し、垂直走査期間毎に前記複数の走査線を駆動すると共に、各垂直走査期間内の複数の水平走査期間の各々において前記複数のデータ線を駆動することにより、各データ線と各走査線との交差部に介在する各画素を駆動する電気光学装置において、前記水平走査期間に同期した基準信号に従ってスイッチング動作を行うことにより、走査線およびデータ線を駆動するための駆動電圧を発生する電源回路を具備し、前記電源回路は、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、前記垂直走査期間内の複数の水平走査期間毎に発生する基準信号に従い、前記２相のクロック信号を発生して前記スイッチング電源手段に供給する手段であって、前記垂直走査期間内に発生する基準信号の個数が偶数である場合にＮ垂直走査期間（Ｎは１以上の整数）毎に前記２相のクロック信号の各相の順序を逆転させる手段を含むクロック信号発生手段と、を備える
ことを特徴としてる。
また、本発明による電気光学装置は、複数のデータ線と、これらと交差する複数の走査線とを有し、垂直走査期間毎に前記複数の走査線を駆動すると共に、各垂直走査期間内の複数の水平走査期間の各々において前記複数のデータ線を駆動することにより、各データ線と各走査線との交差部に介在する各画素を駆動する電気光学装置において、前記水平走査期間に同期した基準信号に従ってスイッチング動作を行うことにより、走査線およびデータ線を駆動するための駆動電圧を発生する電源回路を具備し、前記電源回路は、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、前記垂直走査期間内に偶数回繰り返される各水平走査期間毎に同期した基準信号を受け、前記２相のクロック信号を発生して前記スイッチング電源手段に供給する手段であって、Ｎ垂直走査期間（Ｎは１以上の整数）毎に前記２相のクロック信号の各相の順序を逆転させる手段を含むクロック信号発生手段と、を備えることを特徴としている。
【００２６】
また、本発明による電気光学装置は、複数のデータ線と、これらと交差する複数の走査線とを有し、垂直走査期間となるフレームを分割してフィールド毎に前記複数の走査線を駆動すると共に、各垂直走査期間内の複数の水平走査期間の各々において前記複数のデータ線を駆動することにより、各データ線と各走査線との交差部に介在する各画素を駆動する電気光学装置において、前記水平走査期間に同期した基準信号に従ってスイッチング動作を行うことにより、走査線およびデータ線を駆動するための駆動電圧を発生する電源回路を具備し、前記電源回路は、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、
前記垂直走査期間内の複数の水平走査期間毎に発生する基準信号に従い、前記２相のクロック信号を発生して前記スイッチング電源手段に供給する手段であって、前記垂直走査期間内に発生する基準信号の個数が偶数である場合にＮ垂直走査期間（Ｎは１以上の整数）毎に前記２相のクロック信号を前記基準信号の１周期分シフトさせる手段を含むクロック信号発生手段と、を備えることを特徴としている。
さらに、本発明による電気光学装置は、複数のデータ線と、これらと交差する複数の走査線とを有し、垂直走査期間となるフレームを分割してフィールド毎に前記複数の走査線を駆動すると共に、各垂直走査期間内の複数の水平走査期間の各々において前記複数のデータ線を駆動することにより、各データ線と各走査線との交差部に介在する各画素を駆動する電気光学装置において、前記水平走査期間に同期した基準信号に従ってスイッチング動作を行うことにより、走査線およびデータ線を駆動するための駆動電圧を発生する電源回路を具備し、前記電源回路は、２相のクロック信号が与えられることにより第１のスイッチング動作および第２のスイッチング動作を順次行い、昇圧或いは降圧させて生成した駆動電圧を前記電気光学装置に供給するチャージポンプ方式のスイッチング電源手段と、前記垂直走査期間内の複数の水平走査期間毎に発生する基準信号に従い、前記２相のクロック信号を発生して前記スイッチング電源手段に供給する手段であって、前記垂直走査期間内に発生する基準信号の個数が偶数である場合にＮ垂直走査期間（Ｎは１以上の整数）毎に前記２相のクロック信号の各相の順序を逆転させる手段を含むクロック信号発生手段と、を備えることを特徴としてる。
【００２７】
このような構成とすることにより、駆動電圧による電圧変動周期を垂直走査期間毎に反転させ、垂直走査期間毎にリップルの影響を相殺する。そして、リップルが原因で発生していた表示ムラを低減することができる。
【００２８】
また、本発明は、上記構成の電気光学装置を電子機器の表示部に用いることを特徴とする。
【００２９】
【発明の実施の形態】
以下、本発明による実施形態について、図１ないし図２０の添付図面を参照しつつ説明する。
【００３０】
《１》  第１の実施形態
〈１・１〉  液晶表示装置
〈１・１−１〉  液晶表示装置の構成
図１は、この発明に係る電気光学装置の一実施形態であり、液晶表示装置１００の構成を示すブロック図である。
【００３１】
この液晶表示装置１００は、液晶表示パネル１０１と、表示対象を表す画像データが入力される液晶駆動回路１０２と、液晶駆動用電源回路１０とによって大略構成されている。ここで、画像データは、液晶表示パネル１０１の各画素のオン／オフを表した１画面分のデータである。
【００３２】
ここで、液晶表示パネル１０１は、図２に示すように、複数本の走査線Ｘ1，Ｘ2…Ｘmを有する基板と複数本のデータ線Ｙ1，Ｙ2…Ｙnを有する基板との間に液晶層を介在させている。
【００３３】
〈１・１−２〉  液晶駆動回路の構成および動作
本実施形態による液晶駆動回路１０２では、走査線駆動回路１０３およびデータ線駆動回路１０４により、いわゆるＭＬＳ駆動方式による液晶表示パネル１０１の駆動が行われる。ここで、図３を参照し、本実施形態における液晶表示パネル１０１の駆動方法について説明する。
【００３４】
まず、本実施形態では、１フレームＦ（図３では１Ｆおよび２Ｆ）を４つのフィールド１ｆ〜４ｆに分割し、各画素の駆動を各フィールドに分けて実行する。ここで、各フィールドは、複数の水平走査期間に分かれている。また、全走査線は各々４本の走査線からなる複数のグループに分けられている。
【００３５】
走査線駆動回路１０３は、各水平走査期間毎に、１つのグループを選択し、その選択したグループを構成する各走査線に対し、水平走査期間毎に発生するラッチ信号ＬＰと予め定められたパターンとに従った選択電圧を印加する。そして、走査線駆動回路１０３は、１フィールドを要して全てのグループを順次選択する。図３では、４本の走査線Ｘ１〜Ｘ４からなるグループを例に、各走査線に印加される選択電圧が図示されている。
【００３６】
各グループに着目すると、各走査線に印加される選択電圧のパターンは、フィールド毎に異なっている。図３に示す例では、走査線Ｘ１〜Ｘ４に印加される選択電圧の極性のパターンは、最初のフィールド１ｆでは＋−＋＋、次のフィールド２ｆでは−＋＋＋、次のフィールド３ｆでは＋＋＋−、最後のフィールド４ｆでは＋＋−＋となっている。また、フレームが切り換わると、選択電圧のパターンがさらに別のものに切り換えられる。
【００３７】
データ線駆動回路１０４には、電源回路１０から５種類の駆動電圧Ｖ２、Ｖ１、Ｖｃ、−Ｖ１、−Ｖ２が供給される。ここで、各駆動電圧の間には、Ｖ２＞Ｖ１＞Ｖｃ＞−Ｖ１＞−Ｖ２なる関係がある。また、電圧Ｖ１とＶ２との間には、Ｖ２＝２×Ｖ１なる関係がある。データ線駆動回路１０４は、各水平走査期間において、各データ線毎にこれらの駆動電圧の中から必要なものを選択し、データ信号を出力する。
【００３８】
各画素に着目すると、データ線駆動回路１０４は、各画素に対応したデータ信号を４個のフィールドに分けて出力する。図３には、全データ線のうちの最も左側の１本であるデータ線Ｙ１に対するデータ信号の波形が例示されている。
【００３９】
ここで、データ線Ｙ１と４本の走査線Ｘ１〜Ｘ４との交差位置にある４個の画素を全てオン状態とする場合を例に、データ線Ｙ１に対するデータ信号の発生方法を説明すると次の通りである。
【００４０】
まず、オンを＋、オフを−として、４個の画素のオン／オフ状態をパターン化すると、＋＋＋＋となる。
【００４１】
次に、正の選択電圧を＋、負の選択電圧を−として、走査線Ｘ１〜Ｘ４に対する選択電圧をパターン化すると、フィールド１ｆにおける選択電圧のパターンは、＋−＋＋となる。
【００４２】
ここで、画素のオン／オフ状態のパターン＋＋＋＋と選択電圧のパターン＋−＋＋とを比較すると、両者の間には不一致箇所が１つある。従って、データ線駆動回路１０４は、フィールドｆ１では、データ線Ｙ１に対するデータ信号として、上記５種類の駆動電圧の中から−Ｖ１を選択するのである。
【００４３】
次に、フィールド１ｆ以外の各フィールドを見ると、フィールドｆ２における選択電圧のパターンは−＋＋＋、フィールドｆ３における選択電圧のパターンは＋＋＋−、フィールドｆ４における選択電圧のパターンは＋＋−＋となっている。これらの場合、画素のオン／オフ状態のパターン＋＋＋＋と選択電圧のパターンとの間には不一致箇所が１つある。従って、フィールド２ｆ〜４ｆにおいて、データ線駆動回路１０４は、データ線Ｙ１に対するデータ信号として、上記５種類の駆動電圧の中から−Ｖ１を選択するのである。
【００４４】
以上説明した例では、画素のオン／オフ状態のパターンと選択電圧のパターンとの間の不一致箇所がいずれも１箇所であったためにデータ線駆動回路１０４によって駆動電圧−Ｖ１が選択されたが、不一致箇所の数が異なる場合には、−Ｖ１以外の駆動電圧が選択されることとなる。即ち、データ線駆動回路１０４は、不一致箇所の数が０であるときは駆動電圧−Ｖ２、不一致箇所の数が２であるときは駆動電圧Ｖｃ、不一致箇所の数が３であるときは駆動電圧Ｖ１、不一致箇所の数が４であるときは駆動電圧Ｖ２を選択し、データ信号としてデータ線に印加するのである。
【００４５】
このようにして、画像データによって指定された各画素のオン／オフのパターンと走査電極に対する選択電圧のパターンとの組み合わせに応じた時系列の駆動電圧パターンがデータ線駆動回路１０４によって各データ線に供給され、画像表示が行われるのである。
【００４６】
なお、以上説明したＭＬＳ駆動については、例えば、A GENERALIZED ADDRESSING TECHNIQUE  FOR RMS RESPONDING MATRIX LCDS.1988 INTERNATIONAL DISPLAY RESEARCH CONFERENCE P80〜85、特開平５−４６１２７号公報等に開示されている。
【００４７】
〈１・２〉  液晶駆動用電源回路
次に、４ライン同時選択駆動方式に用いられる液晶駆動用電源回路１０について図４ないし図７を参照しつつ説明する。
【００４８】
＜１・２−１＞  液晶駆動用電源回路の全体構成
図４は液晶駆動用電源回路１０の構成を示すブロック図である。図４に示すように、液晶駆動用電源回路１０には、接地電位ＧＮＤが与えられると共に、図示しない単一電源から電源電圧Ｖccが与えられる。この液晶駆動用電源回路１０は、電源電圧Ｖccに対して昇圧処理や降圧処理を施すことにより、接地電位ＧＮＤを基準として、９種類の電圧ＶH、Ｖ2、Ｖ1、Ｖc、−Ｖ1、−Ｖ2、Ｖddy、ＶLおよびＶeeを発生する。ただし、電圧Ｖcには、接地電位ＧＮＤがそのまま用いられる。また、電圧Ｖ2には、電源電圧Ｖccがそのまま用いられる。
【００４９】
クロック形成回路１１は、ラッチ信号ＬＰから２相のクロック信号ＡおよびＢを生成する回路であり、電源電圧Ｖccを電源としている。なお、このクロック形成回路１１の詳細については後述する。
【００５０】
１／２倍降圧回路１６は、電源電圧Ｖccの１／２倍の正の電圧Ｖ1を電源電圧Ｖccから生成する回路である。
【００５１】
負方向２倍昇圧回路１５は、電源電圧Ｖccの２倍の負の電圧を発生し、電源電圧Ｖccを基準として出力する回路である。ここで、接地電位ＧＮＤを基準にすると、この負方向２倍昇圧回路１５は、電源電圧Ｖccと同じ大きさの負の電圧−Ｖ2を出力するものである。
【００５２】
１／２倍昇圧回路１７は、この負方向２倍昇圧回路１５の出力電圧−Ｖ2からその１／２倍の負の電圧−Ｖ1を生成する回路である。
【００５３】
負方向６倍昇圧回路１２は、電源電圧Ｖccの６倍の負の電圧を発生し、電源電圧Ｖccを基準として出力する。ここで、接地電位ＧＮＤを基準にすると、この負方向６倍昇圧回路１２は、電源電圧Ｖccの６倍の負の電圧Ｖeeを出力するものである。
【００５４】
コントラスト調整回路１３は、最適コントラストとなる選択電圧ＶLを負方向６倍昇圧回路１２の出力電圧Ｖeeから生成して出力する。この選択電圧ＶLは、走査線Ｘに供給される負側選択電圧となる。
【００５５】
定電源１８は、選択電圧ＶLよりも電圧Ｖccだけ高い電圧を生成し、これをデータ線駆動回路１０４にロジック電圧Ｖddyとして供給するものである。
【００５６】
以上説明した構成のうち昇圧回路および降圧回路は、クロック信号ＡおよびＢによって駆動されるチャージポンプによって構成されている。
【００５７】
〈１・２−２〉  クロック形成回路
〈１・２−２−１〉  クロック形成回路の構成
ここで、電源回路１０を構成するクロック形成回路１１の構成について、図５を参照しつつ説明する。このクロック形成回路１１には、水平走査期間毎に発生するパルス状のラッチ信号ＬＰが基準信号として入力される。
【００５８】
Ｄタイプ・フリップフロップＤＦは、／Ｑ出力端子が書き込みデータ入力端子Ｄに接続されており、これによりラッチ信号ＬＰの立上がりエッジでトグル動作を行う。
【００５９】
アンドゲートＡＮＤは、フレーム切換信号ＦＲと判定信号ＳＥＬとが入力される。ここで、フレーム切換信号ＦＲは、例えば奇数フレームにおいてはＨレベル、偶数フレームにおいてはＬレベルとなる信号である。また、判定信号ＳＥＬは、フレーム内にラッチ信号ＬＰが偶数個である場合にＨレベル、奇数個である場合にはＬレベルとなる。
【００６０】
イクスクルーシブオアゲートＥＸ−ＯＲは、アンドゲートＡＮＤから出力される判定結果信号ＳとフリップフロップＤＦから出力される信号Ｑとを受けて信号Ｒを出力するものである。
【００６１】
ノアゲートＮｏｒ１，Ｎｏｒ２は、タイミングの異なる２相のクロック信号Ａ，Ｂを形成するためのものであり、インバータＩｎｖ１，Ｉｎｖ２，Ｉｎｖ３，Ｉｎｖ４は、それぞれＡ，Ｂ，／Ｄoff，Ｒの逆相の信号／Ａ，／Ｂ，Ｄoff，／Ｒを形成するものである。
【００６２】
〈１・２−２−２〉  クロック形成回路の動作
次に、図６に基づいてクロック形成回路１１の動作について説明する。
【００６３】
クロック形成回路１１は、周期的に発生するパルス状のラッチ信号ＬＰに従って生成された２相のクロック信号Ａ，Ｂを出力する。そして、該２相のクロック信号Ａ，Ｂは、チャージポンプ回路（例えば、図４中の負方向２倍昇圧回路１５）によるスイッチング動作を行うものである。
【００６４】
そして、チャージポンプ回路は、電源電圧Ｖccによるポンピングコンデンサへの充電、およびポンピングコンデンサによるバックアップコンデンサへの充電を繰り返して行うものである。また、チャージポンプ回路では、図６に示すパルス幅ＴPのように、ラッチ信号ＬＰのパルスが発生している期間（ＬＰ信号が“Ｈ”にある期間）において、２相のクロック信号Ａ，Ｂは共に“Ｌ”になっている。このため、チャージポンプ回路では、スイッチング手段は全てオフ状態となり、遷移タイミングでの電荷の逃げを防止している。
【００６５】
しかし、遷移タイミングでのスイッチング動作によるオフ時間が長すぎると、逆にポンピングコンデンサ、バックアップコンデンサを充電する時間が短くなるため、必要な電圧が得られなくなる。このため、ラッチ信号ＬＰのパルス幅ＴPは、通常１００ｎＳ〜３００ｎＳ程度、周期が数十μＳ〜１００μＳ程度のパルス状クロックであるため、この回路の基本クロックとして好都合である。また、液晶表示パネル１０１の充放電は１水平走査期間で起こるため、ラッチ信号ＬＰを用いて液晶表示パネル１０１の駆動電圧を充電することが可能である。
【００６６】
次に、表示オフ制御信号／Ｄoffについて説明する。ここで、制御信号／Ｄoffが“Ｌ”にある間は、クロック信号Ａ，Ｂも“Ｌ”にあり、チャージポンプ回路の動作を停止状態にしている。即ち、電源回路１０に、チャージポンプ回路にクロック信号を与えるのを停止する機能を持たせている。この機能を付加することにより、電源回路１０は表示オフ制御時の消費電力をほぼ零にすることができる。
【００６７】
さらに、本実施形態によるクロック形成回路１１では、フレームＦ内のラッチ信号ＬＰのパルス数が偶数個である場合、フレーム切換信号ＦＲが切換わるとき、アンドゲートＡＮＤから出力される判定結果信号Ｓも“Ｌ”から“Ｈ”に切換わる。そして、クロック形成回路１１では、ａ部のように、クロック信号Ａをラッチ信号ＬＰの１周期分をシフトさせる。また、同様にクロック信号Ｂもラッチ信号ＬＰの１周期分をシフトされる。
【００６８】
これにより、切換前のフレーム内における２相のクロック信号Ａ，Ｂの位相と、切換後のフレーム内における２相のクロック信号Ａ，Ｂの位相とを半周期分ずらすことができる。
【００６９】
そして、チャージポンプ回路では、スイッチング手段によるオン／オフ動作がフレーム切換信号ＦＲの切換の前後で半周期分ずれて行われるため、出力される駆動電圧（例えば−Ｖ2）に重畳するリップルを、フレーム切換信号ＦＲが切換わる前後でずらすことができる。この結果、駆動電圧に重畳するリップルをフレーム毎に相殺することができる。
【００７０】
即ち、切換前のフレームにおいてリップルの山の部分に相当する駆動電圧により駆動された画素は、切換後のフレームにおいてリップルの谷の部分に相当する駆動電圧により駆動されることになる。このように、フレーム毎に駆動電圧によるリップルを相殺することにより、表示画面に現れる濃淡のムラが抑えることができる。
【００７１】
〈１・２−３〉  チャージポンプ回路
図４に示す２倍昇圧回路１４、負方向６倍昇圧回路１２等のチャージポンプ回路について、図７を参照しつつその基本構成について説明する。
【００７２】
図７において、ＳＷａとＳＷｂは連動スイッチであり、一方がＡ側に倒れている間は他方もＡ側に倒れている。また、図７ではＳＷａ，ＳＷｂを機械的なスイッチで表したが、実際にはスイッチＳＷａ，ＳＷｂは、Ａ側との導通・遮断を制御するＭＯＳトランジスタと、Ｂ側との導通・遮断を制御するＭＯＳトランジスタと、通常一対のトランジスタにより構成されている。
【００７３】
そして、各トランジスタには、クロック形成回路１１から２相のクロック信号Ａ，Ｂが入力され、クロック信号Ａが“Ｈ”のときにはスイッチＳＷａ，ＳＷｂはＡ側に倒れ、クロック信号Ｂが“Ｈ”のときにはスイッチＳＷａ，ＳＷｂはＢ側に倒れるようになっている。
【００７４】
ここで、スイッチＳＷａ，ＳＷｂがクロック信号Ａを受けてＡ側に切換わっている間は、ポンピングコンデンサＣｐはＶｂ−Ｖａの電圧で充電されている。次いでスイッチＳＷａ，ＳＷｂがクロック信号Ｂを受けてＢ側に切換わると、ポンピングコンデンサＣｐに充電された電荷がバックアップコンデンサＣｂに転送される。このスイッチング動作を繰り返すことにより、バックアップコンデンサＣｂに加わっている電圧、即ちＶｅ−Ｖｄ間の電圧はＶｂ−Ｖａ間の電圧とほぼ等しい値に近づく。このとき、Ｖｄがある定まった電圧である場合には、ＶｄよりＶｂ−Ｖａだけ高い電圧がＶｅに発生する。逆に、Ｖｅがある定まった電圧である場合には、ＶｅよりＶｂ−Ｖａだけ低い電圧がＶｄに発生する。このように、チャージポンプ回路は、昇降圧させた駆動電圧を出力するのものである。
【００７５】
このように、チャージポンプ回路は、Ｖａ，Ｖｂ，Ｖｄ，Ｖｅをどこに接続するかによって、この回路が昇圧回路として機能するか、降圧回路として機能するかを決定するものである。
【００７６】
また、クロック信号Ａ，ＢによってスイッチＳＷａ，ＳＷｂを作動させているから、チャージポンプ回路から出力される駆動電圧には、クロック信号Ａ，Ｂの切換えタイミング（ラッチ信号ＬＰの２倍の周期）に応じたリップルが重畳してしまう。
【００７７】
〈１・３〉  第１の実施形態による効果
上述の如く構成される本実施形態による液晶表示装置１００では、クロック形成回路１１によって、１フレーム内に存在するラッチ信号ＬＰのパルス数が偶数個である場合、図６に示すタイムチャートのように、フレーム切換信号ＦＲが切換わるときに、ラッチ信号ＬＰの１周期分シフトさせた２相のクロック信号Ａ，Ｂをチャージポンプ回路に出力させるようにしている。これにより、図８に示すように、あるフレーム１Ｆに発生している駆動電圧−Ｖ2の波形と、次のフレーム２Ｆに発生する駆動電圧−Ｖ2の波形とを半周期位相をずらした波形とし、電圧変動周期を切換の前後で反転させることができる。そして、フレーム間で駆動電圧を平均化でき、駆動電圧によるリップルの影響を相殺することができる。
【００７８】
この結果、画面を書き換える毎に発生していたラッチ信号ＬＰの２倍の周期によるリップルの影響を相殺できる。即ち、例えば画面を６０Ｈｚで書き換えている場合に、一画面におけるリップルの影響を次の画面におけるリップルの影響で打ち消し、総合的に電源回路１０から発生するリップルの影響を相殺することができる。そして、電源回路による電圧変動が原因で発生していた表示ムラを低減することができる。
【００７９】
なお、前記実施形態では、フレーム反転方式によって液晶を交流電圧駆動する場合について述べたが、フィールド反転方式によって液晶を交流駆動することも可能である。１フレーム期間ごとに、電圧の変動する位相を半周期ずらす場合について述べたが、１フレームごとに、電圧の変動する位相を半周期ずらしながら１フィールドごとにも位相を半周期ずらすことも可能である。この場合には、クロック形成回路１１のアンドゲートＡＮＤに入力されるフレーム切換信号ＦＲの代わりに、フィールド切換信号を入力するようにすればよい。そして、このような構成とすることにより、電源回路から出力される駆動電圧−Ｖ2は、図９に示すように、フィールドｆ１，ｆ２，ｆ３，ｆ４毎に位相を半周期分ずらすことができる。これにより、電源回路による電圧変動が原因で発生していたリップルによる表示ムラを低減することがでる。
【００８０】
《２》  第２の実施形態
次に、第１の実施形態で述べたチャージポンプ回路について、その具体的な構成について、図１０ないし図２０を参照しつつ説明する。
【００８１】
〈２・１〉  ２倍昇圧
図１０は、図７においてＶｄをＶｂに結線したもので、２倍昇圧用チャージポンプ回路の概念図となる。ここで、上述した理由により、ＳＷａとＳＷｂが連続してスイッチング動作を繰り返すことにより、Ｖｅ−Ｖｄ＝Ｖｅ−Ｖｂ＝Ｖｂ−Ｖａとなるから、Ｖｅ−Ｖａ＝（Ｖｅ−Ｖｂ）＋（Ｖｂ−Ｖａ）＝２×（Ｖｂ−Ｖａ）が成立する。即ち、Ｖａを電位の基準レベル（０Ｖ）とするとＶｅ＝２×Ｖｂとなり、ＶｅはＶｂを２倍昇圧した電圧となる。
【００８２】
〈２・２〉  負方向２倍昇圧
図１１は、図７においてＶｅをＶａに結線したもので、負方向２倍昇圧用チャージポンプ回路の概念図となる。ＳＷａとＳＷｂが連続してスイッチング動作を繰り返すことにより、Ｖｅ−Ｖｄ＝Ｖａ−Ｖｄ＝Ｖｂ−Ｖａとなるから、Ｖｂ−Ｖｄ＝（Ｖｂ−Ｖａ）＋（Ｖａ−Ｖｄ）＝２×（Ｖｂ−Ｖａ）が成立する。即ち、Ｖｂを電位の基準レベル（０Ｖ）とするとＶｄ＝２×Ｖａとなり、ＶｄはＶａを負方向へ２倍昇圧した電圧となる。
【００８３】
〈２・３〉  １／２倍降圧
図１２は、図１１において入力電圧Ｖｂ−ＶａからＶｂ−Ｖｄに変更したものであり、１／２倍降圧用チャージポンプ回路の概念図である。Ｖｅが出力電圧であり、Ｖｅにつながる負荷が消費する電流はバックアップコンデンサＣｂから供給される。まず、ＳＷａ，ＳＷｂがＢ側と導通しているときはポンピングコンデンサＣｐとバックアップコンデンサＣｂとは並列接続になるから、このＣｐ，Ｃｂに加わっている電圧は等しくなる。次にＳＷａ，ＳＷｂがＡ側に切換わると、直列接続となったＣｐ，Ｃｂが、入力電圧Ｖｂ−Ｖａ間に入る形となり、Ｃｐ，Ｃｂに加わる電圧は入力電圧の半分となる。
【００８４】
次いで再びＳＷａ，ＳＷｂがＢ側に切換わると、ＣｐとＣｂは並列接続になるから、Ｃｐに蓄えられていた電荷がＣｂに供給され、Ｃｐに加わる電圧とＣｂに加わる電圧とが等しくなる。従って、Ｃｐ，Ｃｂに蓄えることのできる電荷が、Ｖｅの負荷電流により持ち去れる電荷に比べて十分に大きければ、ＳＷａとＳＷｂが連続してスイッチング動作を繰り返すことにより、Ｖｅには入力電圧の１／２倍に近い出力電圧が発生する。
【００８５】
〈２・４〉  負方向６倍昇圧
図１３は、負方向６倍昇圧用チャージポンプ回路の一例を示す概念図であり、図１４（ａ）、図１４（ｂ）は、それぞれＳＷａ１〜ＳＷａ３、ＳＷｂ１〜ＳＷｂ３がＡ側、Ｂ側に切換わっているときの接続関係図である。ＳＷａ１〜ＳＷａ３、ＳＷｂ１〜ＳＷｂ３は連動スイッチであり、Ｃｐ１〜Ｃｐ３はポンピングコンデンサ、Ｃｂ１とＣｂ２３はバックアップコンデンサである。
【００８６】
前述した負方向２倍昇圧回路と同じ動作により、−Ｖ３ＢにはＶccを基準としてＧＮＤを負方向へ２倍昇圧した電圧である−２×（Ｖcc−ＧＮＤ）が発生する。全スイッチがＡ側に切換わっている場合、図１４（ａ）に示すように、Ｃｐ２とＣｐ３は並列接続となるため、Ｃｐ２，Ｃｐ３は、それぞれほぼ２×（Ｖcc−ＧＮＤ）の電圧で充電されることになる。
【００８７】
次に、全スイッチがＢ側に切換わると、図１４（ｂ）に示すように、直列接続されたＣＰ２，Ｃｐ３が、Ｃｂ２３に並列接続される。Ｃｐ２，Ｃｐ３は、前述したように、２×（Ｖcc−ＧＮＤ）で充電されている。従って、−Ｖ３Ｂ，ＶＥＥ間には４×（Ｖcc−ＧＮＤ）の電圧が発生し、この電圧でＣｂ２３が充電される。
【００８８】
以上の理由から、全スイッチが連続してスイッチング動作を繰り返すことにより、ＶＥＥには、Ｖccを基準にＧＮＤを負方向６倍昇圧した電圧、即ちＶcc−６×（Ｖcc−ＧＮＤ）が発生する。例えばＶcc＝３Ｖの場合には、−Ｖ３Ｂには−３Ｖ、ＶＥＥには−１５Ｖの電圧が発生する。
【００８９】
図１５は、負方向６倍昇圧用チャージポンプ回路の他の例を示す概念図であり、図１６（ａ），図１６（ｂ）は、それぞれＳＷａ１〜ＳＷａ３およびＳＷｂ１、ＳＷｂ２がＡ側、Ｂ側に切換わっているときの接続関係図である。Ｃｐ１〜Ｃｐ３はポンピングコンデンサ、Ｃｂ１とＣｂ２はバックアップコンデンサである。
【００９０】
図１３と同様に、−Ｖ３ＢにはＶccを基準としてＧＮＤを負方向へ２倍昇圧した電圧である−２×（Ｖcc−ＧＮＤ）が発生する。
【００９１】
ここで、全スイッチがＡ側に切換わっている場合、図１６（ａ）に示すように、Ｃｐ２はほぼ２×（Ｖcc−ＧＮＤ）の電圧で充電される。また、図１５に示すように、Ｃｐ２，Ｃｂ２，ＳＷｂ２３、ＳＷａ２からなる回路は、Ｃｐ１，Ｃｂ１，ＳＷｂ１，ＳＷａ１からなる回路と同様に、負方向２倍昇圧回路となっている。従ってＣｂ２も、２×（Ｖcc−ＧＮＤ）の電圧で充電され、ＶＥＭには、−４×（Ｖcc−ＧＮＤ）の電圧が発生する。これにより、Ｃｐ３は、４×（Ｖcc−ＧＮＤ）の電圧で充電される。
【００９２】
次に、全スイッチがＢ側に切換わると、図１６（ｂ）に示すように、−Ｖ３ＢとＶＥＥとの間にＣｐ３が挿入される接続関係となる。−Ｖ３Ｂの電圧は−２×（Ｖcc−ＧＮＤ）であり、Ｃｐ３は４×（Ｖcc−ＧＮＤ）の電圧で充電されている。従ってＶＥＥにはＶccを基準にＧＮＤを負方向へ６倍昇圧した電圧、即ちＶcc−６×（Ｖcc−ＧＮＤ）の電圧が発生する。
【００９３】
図１３の回路は図１５の回路とは異なり、−Ｖ３ＢとＶＥＥとの中間の安定した電圧であるＶＥＭが不要であるため、図１５の回路よりも必要なコンデンサの数が１つ少なくでよいという利点がある。一方、図１５の回路は、Ｃｐ２、Ｃｐ３の＋電極につながるスイッチが共用となるため、図１３の回路よりも必要なスイッチの数が１つ（トランジスタ数としては２つ）少なくてよいという利点がある。さらに、中間電圧ＶＥＭを形成することで図１３の回路よりもトランジスタのドレイン耐圧が低くくてもよくなり、トランジスタのサイズを小さくできるという利点もある。
【００９４】
〈２・５〉  ３／２倍昇圧
図１７（ａ），図１７（ｂ）は、３／２倍昇圧用チャージポンプ回路の概念図である。ＣｐＨ，ＣｐＬはポンピングコンデンサであり、Ｃｂはバックアップコンデンサである。図１７（ａ），図１７（ｂ）に示すように、この回路では、ＣｐＨ，ＣｐＬ，Ｃｂが直列接続となっている状態と、Ｃｂ，ＣｐＨ，ＣｐＬが並列接続になっている状態とが交互に繰り返される。ＣｐＨ，ＣｐＬに加わっている電圧をそれぞれＶｃｐＨ，ＶｃｐＬとすると、図１７（ｂ）では、ＣｐＨとＣｐＬが並列状態になっていることから、ＶｃｐＨ＝ＶｃｐＬとなる。また、図１７（ｂ）のように、ＣｐＨとＣｐＬとがＶcc−ＧＮＤ直列接続となったとき、ＣｐＨとＣｐＬにはＶccの１／２の電圧が充電される。その後、図１７（ｂ）の接続状態となったとき、ＣｐＨとＣｐＬにはＶccに蓄えられていた電荷がＣｂに供給される。この動作を何回も繰り返すことにより、Ｃｂ，ＣｐＨ，ＣｐＬに加わっている電圧は、どれもＶccの１／２に近づき、この結果出力電圧にはＶccを３／２倍に昇圧した電圧が発生する。
【００９５】
〈２・６〉  負方向３／２倍昇圧
図１８（ａ），図１８（ｂ）は、負方向３／２倍昇圧用チャージポンプ回路の概念図である。動作原理は上述した３／２倍昇圧と同様であるため、ＣｐＨ，ＣｐＬ，Ｃｂが直列接続となっている状態と、Ｃｂ，ＣｐＨ，ＣｐＬが並列接続になっている状態とが交互に繰り返すことにより、上記３／２倍昇圧とは逆方向の昇圧電圧−３／２×Ｖccを得ることができる。
【００９６】
液晶表示装置のドライバＩＣには、ロジック電圧と、そのロジック電圧よりも負側の電圧とを必要とするため、このような液晶表示装置にこの回路を応用することにより、液晶表示装置の停消費電力化が可能となる。
【００９７】
〈２・７〉  ２／３倍降圧
ＣｐＬに加わっている電圧は、図１９（ｂ）では並列接続になることから、全て同一となり、図１９（ａ）のように直列接続となったとき、ＣｂとＣｐＨとＣｐＬにはそれぞれＶccのほぼ１／３の電圧が充電される。この動作を何回も繰り返すことにより、Ｃｂ，ＣｐＨ，ＣｐＬに加わっている電圧はどれもＶccの約１／３に近づき、この結果出力にはＶccより（１／３）×Ｖccだけ低い電圧、即ちＶccを２／３倍に降圧した電圧が発生する。
【００９８】
〈２・８〉  負方向２／３倍降圧
図２０（ａ）、（ｂ）は、負方向２／３倍降圧用チャージポンプ回路の概念図である。動作原理は上述した２／３倍降圧と同様であるため、詳細な説明は省略する。２／３倍降圧の場合と同様に、ＣｐＨ，ＣｐＬおよびＣｂと直列接続になっている図２０（ａ）の状態と、Ｃｂ，ＣｐＨ，ＣｐＬが並列接続になっている図２０（ｂ）の状態とを交互に繰り返すことにより、２／３倍降圧の場合と同様に、逆方向の降圧電圧−２／３×Ｖccを得ることができる。
【００９９】
《３》  実施形態の変形例
〈３・１〉  第１の変形例
前記実施形態では、１フレーム毎に位相をずらすようにしたが、本発明はこれに限らず、２フレームまたは３フレーム等の複数フレーム毎に位相をずらすようにしてもよい。
【０１００】
〈３・２〉  第２の変形例
前記実施形態では、液晶駆動用電源回路１０のクロック形成回路１１に入力される基準信号を走査信号に用いられるラッチ信号ＬＰとしたが、本発明はこれに限らず、例えばデータ信号に用いられるシフトクロック等を用いるようにしてもよい。
【０１０１】
〈３・３〉  第３の変形例
前記実施形態では、図５および図６に示すように、制御信号／Ｄoffによりチャージポンプ回路の動作を停止する機能を備えた電源回路について述べたが、この制御信号／Ｄoffによる停止制御は省略してもよい。
【０１０２】
〈３・４〉  第４の変形例
前記実施形態では、電気光学装置として液晶表示装置を例示したが、本発明はこれに限らず、エレクトロルミネッサンス素子など、各種の電気光学効果を用いて表示を行う電気光学装置に適用可能である。
【０１０３】
〈３・５〉  第５の変形例
前記実施形態では、液晶表示パネル１０１をＭＬＳ駆動によって駆動した場合を例示して説明したが、これに限らず、１ライン順次駆動方式に適用してもよいことは勿論である。
【０１０４】
〈３・６〉  第６の変形例
なお、液晶表示装置としては、ＴＦＤ（非線型２端子素子）やＴＦＴ（Thin Film Transistor：薄膜トランジスタ）を用いたアクティブマトリックス方式や、ＴＦＤやＴＦＴなどのスイッチング素子を用いないパッシブマトリックス方式など種々のものを採用できる。
【０１０５】
〈３・７〉  第７の変形例
また、前記実施形態では、電源回路をチャージポンプ回路を含む構成として記載したが、本発明による適用範囲はこれに限定されるものではない。本発明は、ラッチ信号ＬＰに従ってスイッチング動作を行って駆動電圧を発生する他のスイッチング電源にも適用可能である。
【０１０６】
〈３・８〉  第８の変形例
さらに、前記実施形態では、電源回路を電気光学装置に搭載した状態で販売する他、電源回路を単独で販売してもよい。
【０１０７】
〈３・９〉  第９の変形例
さらに、走査線の本数に拘わらず、１垂直走査期間内に発生するラッチ信号ＬＰの個数を必ず奇数個になるように設定してもよい。
【０１０８】
或いは、１フィールド期間内に発生するラッチ信号ＬＰの個数を必ず奇数個になるように設定してもよい。
【０１０９】
〈３・１０〉  第１０の変形例
また、前述した電源回路は、表示装置に限らずプロジェクタに用いても良く、さらに、パーソナルコンピュータ、ページャ、液晶テレビや、ビューファインダ型，モニタ直視型のビデオテープレコーダ、カーナビゲーション装置、電子手帳、電卓、ワードプロセッサ、ワークステーション、携帯電話、テレビ電話、POS端末、タッチパネルを備えた装置等の電子機器にも適用可能である。
【０１１０】
また、前述した電源回路を用いた表示装置をプロジェクタや、さらに、パーソナルコンピュータ、ページャ、液晶テレビや、ビューファインダ型，モニタ直視型のビデオテープレコーダ、カーナビゲーション装置、電子手帳、電卓、ワードプロセッサ、ワークステーション、携帯電話、テレビ電話、POS端末等の電子機器に用いることによって、電子機器の消費電力を大幅に低減できる。
【０１１１】
ここで、上述した電子機器のうち携帯電話に適用した例について説明する。
【０１１２】
図２１は、この携帯電話の構成を示す斜視図である。図において、携帯電話１３００は、複数の操作ボタン１３０２のほか、受話口１３０４、送話口１３０６と共に、液晶表示装置（電気光学装置）１００を備えるものである。この液晶表示装置１００にも、必要に応じてその前面にフロントライトが設けられる。また、この構成でも、液晶表示装置１００が反射直視型として用いられることになるので、画素電極１１８に凹凸が形成される構成が望ましい。
【０１１３】
【発明の効果】
上述したように本発明による電源回路は、駆動電圧を発生する動作タイミングを、垂直走査期間（または水平走査期間）の切換えが行われる毎に基準信号の１周期分シフトするようにしたから、駆動信号に重畳するリップルを垂直走査期間（または水平走査期間）が切換わる毎に相殺することができる。これにより、この電源回路を例えば液晶表示装置に用いた場合には、表示ムラを抑えることができる。
【図面の簡単な説明】
【図１】  本発明の実施形態による液晶表示装置を示す全体構成図である。
【図２】  液晶表示パネルの電極パターンを示す説明図である。
【図３】  液晶表示パネルに供給される走査信号、データ信号を示す波形図である。
【図４】  液晶用電源回路を示すブロック図である。
【図５】  クロック形成回路を示すブロック図である。
【図６】  クロック形成回路への入力信号と出力信号との関係を示すタイムチャートである。
【図７】  チャージポンプ回路の基本構成を示す回路図である。
【図８】  フレーム毎に駆動信号の位相をずらした状態を示す説明図である。
【図９】  フィールド毎に駆動信号の位相をずらした状態を示す説明図である。
【図１０】  ２倍昇圧のチャージポンプ回路を示す回路図である。
【図１１】  負方向２倍昇圧のチャージポンプ回路を示す回路図である。
【図１２】  １／２倍降圧のチャージポンプ回路を示す回路図である。
【図１３】  負方向６倍昇圧のチャージポンプ回路を示す回路図である。
【図１４】  負方向６倍昇圧のチャージポンプ回路の動作を示す回路図である。
【図１５】  他の負方向６倍昇圧のチャージポンプ回路を示す回路図である。
【図１６】  他の負方向６倍昇圧のチャージポンプ回路の動作を示す回路図である。
【図１７】  ３／２倍昇圧のチャージポンプ回路を示す回路図である。
【図１８】  負方向３／２倍昇圧のチャージポンプ回路を示す回路図である。
【図１９】  ２／３倍降圧のチャージポンプ回路を示す回路図である。
【図２０】  負方向２／３倍降圧のチャージポンプ回路を示す回路図である。
【図２１】  液晶表示装置を適用した電子機器の一例たる携帯電話の構成を示す斜視図である。
【図２２】  従来技術による駆動信号に発生するリップルを示す説明図である。
【符号の説明】
１０・・・液晶駆動電源回路
１１・・・クロック形成回路
１２・・・負方向６倍昇圧回路
１４・・・２倍昇圧回路
１５・・・負方向２倍昇圧回路
１６，１７・・・１／２降圧回路
１８・・・負方向２倍昇圧回路
１００・・・液晶表示装置
１０１・・・液晶表示パネル
１０２・・・液晶駆動回路
１０３・・・走査線駆動回路
１０４・・・データ線駆動回路
Ｃｐ・・・チャージコンデンサ
Ｃｂ・・・バックアップコンデンサ
ＳＷａ，ＳＷｂ・・・スイッチ
【図１】
0004006903.tif 000002
【図２】
0004006903.tif 000003
【図３】
0004006903.tif 000004
【図４】
0004006903.tif 000005
【図５】
0004006903.tif 000006
【図６】
0004006903.tif 000007
【図７】
0004006903.tif 000008
【図８】
0004006903.tif 000009
【図９】
0004006903.tif 000010
【図１０】
0004006903.tif 000011
【図１１】
0004006903.tif 000012
【図１２】
0004006903.tif 000013
【図１３】
0004006903.tif 000014
【図１４】
0004006903.tif 000015
【図１５】
0004006903.tif 000016
【図１６】
0004006903.tif 000017
【図１７】
0004006903.tif 000018
【図１８】
0004006903.tif 000019
【図１９】
0004006903.tif 000020
【図２０】
0004006903.tif 000021
【図２１】
0004006903.tif 000022
【図２２】
0004006903.tif 000023